(57)【要約】【課題】  歪みを防止して容易に組み立てることができるとともに、いずれの方向にも使用できる柵を提供する。【解決手段】  本発明の柵は、柵本体１と、該柵本体１を固定する筒状の枠体と、該枠体に差し込んで支持する脚部材４とからなる柵であって、枠体は、脚部材４を差し込む上下枠２ａ、２ａと、左右枠２ｂ、２ｂとからなり、上下枠２ａ、２ａと左右枠２ｂ、２ｂとの交差部分を開放した開放部１１、１１を有し、脚部材４は、開放部１１において、上下枠２ａの筒内に差し込む差込支持部４２と、左右枠２ｂを支持する側方支持部４５とを有する。枠体と柵本体１と脚部材４による簡単な構成で柵を提供できるとともに、開放部１１に脚部材４を挿入して、上下左右を自由に変更できる柵を提供することができる。【選択図】  図１
2019157345.tif 000002
【特許請求の範囲】
【請求項１】
柵本体と、該柵本体を固定する筒状の枠体と、該枠体に差し込んで支持する脚部材とからなる柵であって、
枠体は、上下方向に延びる上下枠と、左右方向に延びる左右枠とからなり、前記上下枠と左右枠との交差部分を開放した開放部を有し、
脚部材は、前記開放部において、上下枠の筒内に差し込む差込支持部と、左右枠を支持する側方支持部とを有することを特徴とする柵。
【請求項２】
開放部は、上下枠の下方において、前記上下枠の筒内に脚部材を差し込み支持し、前記上下枠の上方において、前記上下枠と左右枠の筒内に角部材を差し込み支持するものであって、
前記角部材は、前記上下枠と前記左右枠とに差し込んで固定する２つの突出した挿入部を有するＬ字状であることを特徴とする請求項１に記載の柵。
【請求項３】
脚部材は、差込支持部より幅広となる平面と、かつ、所定の厚みからなる側面とを有する鍔部を有し、該鍔部の側面が左右枠と当接して支持する側方支持部となることを特徴とする請求項１または２のいずれかに記載の柵。
【請求項４】
上下枠は、長手方向の全長に亘り枠内側に突出する突出片を幅寸法の中央から一方の幅方向にずれた位置に有し、
左右枠は、長手方向の全長に亘り枠内側に突出する突出片を幅寸法の中央からもう一方の幅方向にずれた位置に有し、
前記上下枠の突出片の端部と、前記左右枠の突出片の端部とが柵本体を挟持し、この挟持した部分で突出片の端部及びその間の柵本体に連通して固定される貫通孔を有することを特徴とする請求項１、２または３のいずれかに記載の柵。
【発明の詳細な説明】
【技術分野】
【０００１】
本発明は、既存の網等の格子状物やボード等の本体を囲い保持する枠体からなる柵であって、主に建築現場や工事現場で簡易的に使用されるものに関する。
【背景技術】
【０００２】
従来から外枠で囲った柵に、脚を別途装着する先行技術は存在する。例えば、特許文献１に示すように、合成樹脂製のフェンスに２本の合成樹脂製結合部材が取り外し可能に取り付けられている。
【先行技術文献】
【特許文献】
【０００３】
【特許文献１】特開平９−６０３５３号公報
【発明の概要】
【発明が解決しようとする課題】
【０００４】
特許文献１に示す合成樹脂製フェンスは、フェンスに脚となる合成樹脂製結合部材を装着できるものであるが、フェンスが歪みに対する補強を考慮したものではなかった。また、フェンスを使用状態により縦方向、横方向に変えて利用することを考慮したものではなかった。建築現場や工事現場で使用される柵はパネルと枠体からなる簡易な構成からなるものは利便性が高いが、簡易な構成によるものであると、歪み等による補正部材が別途必要となっていた。
【０００５】
そこで、歪みを防止して容易に組み立てることができるとともに、いずれの方向にも使用できる柵が望まれていた。
【課題を解決するための手段】
【０００６】
本発明の柵は、上記課題に鑑み、柵本体と、該柵本体を固定する筒状の枠体と、該枠体に差し込んで支持する脚部材とからなる柵であって、枠体は、脚部材を差し込む上下枠と、左右枠とからなり、前記上下枠と左右枠との交差部分を開放した開放部を有し、脚部材は、前記開放部において、上下枠の筒内に差し込む差込支持部と、左右枠を支持する側方支持部とを有することを特徴とする。
【０００７】
また、開放部は、上下枠の下方において、前記上下枠の筒内に脚部材を差し込み支持し、前記上下枠の上方において、前記上下枠と左右枠の筒内に角部材を差し込み支持するものであって、前記角部材は、前記上下枠と前記左右枠とに差し込んで固定する２つの突出した挿入部を有するＬ字状であることが好ましい。
【０００８】
また、脚部材は、差込支持部より幅広となる表面と、かつ、所定の厚みからなる側面とを有する鍔部を有し、該鍔部の側面が左右枠と当接して支持する側方支持部となることが好ましい。
【０００９】
また、上下枠は、長手方向の全長に亘り枠内側に突出する突出片を幅寸法の中央から一方の幅方向にずれた位置に有し、左右枠は、長手方向の全長に亘り枠内側に突出する突出片を幅寸法の中央からもう一方の幅方向にずれた位置に有し、前記上下枠の突出片の端部と、前記左右枠の突出片の端部とが柵本体を挟持し、この挟持した部分で突出片の端部及びその間の柵本体に連通して固定される貫通孔を有することが好ましい。
【発明の効果】
【００１０】
請求項１記載の発明は、枠体と枠体内に配置される柵本体と脚部材による簡単な構成で柵を提供できるとともに、開放部に脚部材を挿入して、上下左右を自由に変更できる柵を提供することができる。また、簡易な構成によりなされるものであるが、脚本体が側方からの歪みを支持する側方支持部を有することで、柵の歪みを防止することができる。
【００１１】
請求項２記載の発明は、上側の開放部に角部材を挿入することで、上側からも歪みを防止した柵を提供することが可能になる。
【００１２】
請求項３記載の発明は、脚部材が柵を立てるように保持することが可能となるだけでなく、鍔が上下枠を下方から支持しつつ、左右枠を当接して支持することとなり、柵の歪みを防止することができる。
【００１３】
請求項４記載の発明は、四方の部分で互いにずれた突出片により柵本体を挟持し、固定することで、簡単な構成で強固に柵本体を支持することが可能になる。
【図面の簡単な説明】
【００１４】
【図１】本発明の実施形態に係る柵の斜視図である。
【図２】図１の柵の分解斜視図である。
【図３】図１の上下枠と左右枠との交差部分を示す一部拡大斜視図である。
【図４】角部材の一例を示す拡大斜視図である。
【図５】脚本体の一例を示す拡大斜視図である。
【図６】図１の柵のＢ−Ｂ部分のＡ−Ａ線断面図である。
【図７】脚部材を取り付けた状態の一部拡大正面図である。
【図８】図１の柵の組み立て変形例の斜視図である。
【図９】３枚のパネルによる柵本体を用いた状態の変形例の斜視図である。
【図１０】図９の柵の組み立て変形例の斜視図である。
【発明を実施するための形態】
【００１５】
本発明の実施形態について、図面に基づいて詳細に説明する。本実施例に関し、図１の前側、後側を本実施形態の前側、後側として、図１の上下左右を本実施形態の上下左右として説明する。また、幅方向とは、図１の前後方向として説明する。
【００１６】
本実施形態は、図１、２に示すように、格子状の柵本体１と、柵本体１の外周を囲む上下枠２ａ、２ａと左右枠２ｂ、２ｂとからなる枠体から形成される。柵本体１は、本実施形態において、格子状の樹脂パネルとしているが、網状のもの、板パネル状のものなど、その他の形態であってもよい。柵本体１は、その周囲に平板上の縁部２１、２１を有し、本実施形態ではその内方に格子模様を有する長方形状の格子部分を有する。本実施形態では２枚の樹脂パネルの上下の縁部２１を重ね縦長の一つの柵本体１としている。
【００１７】
上下枠２ａ、２ａと左右枠２ｂ、２ｂとからなる枠体は、縦長の柵本体１の外縁に沿った矩形状の外枠であり、本実施形態ではアルミニウム製の長方形状とした筒形状である。この筒形状は、本実施形態ではその断面が略正方形となるものであるが（図６参照）、略円形や略長方形のものであってもよい。なお、後述する角部材３、脚部材４は、当該筒形状が略円形等に場合にはその形状に合わせて変形させることが好ましい。
【００１８】
枠体は、柵本体１の両側方に配置され、上下方向に延びる上下枠２ａ、２ａと、柵本体１の上下に配置され、左右方向に延びる左右枠２ｂ、２ｂとからなる。上下枠２ａ、２ａと左右枠２ｂ、２ｂとは、柵本体１の上下縁、左右縁と略同一長さを有するものである。図３に示すように、この枠体と柵本体１とが同一長さを有するために、この上下枠２ａ、２ａと左右枠２ｂ、２ｂとが交差する部分であり、柵本体１の外縁の四方の角部分は開放された開放部１１、１１となる。図１、２に示すように、この開放部１１のうち、上方の開放部１１、１１には直角に連結する角部材３、３が筒状の枠内に差し込まれて配置され、下方の開放部１１、１１には同様に脚部材４、４が差し込まれて配置される。
【００１９】
上下枠２ａ、２ａと左右枠２ｂ、２ｂとは、長手方向の全長に亘り枠内側に突出する突出片６ａ、６ａ、６ｂ、６ｂを有する。突出片６ａ、６ａ、６ｂ、６ｂは、その長手方向に沿って形成された板状であり、突出片６ａ、６ａ、６ｂ、６ｂの上下枠２ａ、２ａと左右枠２ｂ、２ｂから枠内側に突出する突出寸法は、縁部２１、２１の突出寸法と同じである。この突出片６ａ、６ａ、６ｂ、６ｂと柵本体１の縁部２１、２１とを重ね合わせて固定具９、９（ボルト）で固定する部分となる。なお、図１、２に示す本実施形態では、後述のように幅方向のずれから前側に突出片６ｂ、６ｂが表れ、後側に突出片６ａ、６ａが表れる。
【００２０】
上下枠２ａ、２ａと左右枠２ｂ、２ｂから枠内側に突出する突出片６ａ、６ａ、６ｂ、６ｂは、各々の幅寸法の中央から、幅方向（図１、２の前後方向）にずれた位置に形成される。本実施形態においては、例えば縁部２１の前後幅の半分の寸法で中央からずれており、突出片６ｂ、６ｂが前側、突出片６ａ、６ａが後側にずれている。このずれにより、四方の角部分では突出片６ａ、６ａ、６ｂ、６ｂにより柵本体１を挟持し、その他の部分では柵本体１の縁部２１、２１を前側若しくは後側から固定具９、９（ボルト）で固定することができる（図６参照）。
【００２１】
右側の上下枠２ａは、その突出片６ａに柵本体１の側方の縁部２１、２１を重ね合わせ、左側の上下枠２ａも突出片６ａに柵本体１の側方の縁部２１、２１とを重ね合わせ、固定具９、９（ボルト）により固定する。上側の左右枠２ｂも、その突出片６ｂに柵本体１の上側の縁部２１を重ね合わせ、下側の左右枠２ｂも突出片６ｂに柵本体１の下側の縁部２１とを重ね合わせ、固定具９、９（ボルト）により固定する。
【００２２】
上下枠２ａ、２ａと左右枠２ｂ、２ｂとを組み合わせる。このときに、図６に示すように、上下枠２ａ、２ａと左右枠２ｂ、２ｂにより形成された枠体において、四方の角部分において、枠自体は開放された開放部１１、１１を有するものとなるが、突出片６ａ、６ａ、６ｂ、６ｂはその端部で重なり合う。このときに、突出片６ａ、６ａ、６ｂ、６ｂが上下枠２ａ、２ａと左右枠２ｂ、２ｂとの中央からずれていることにより、この重なり合う部分で柵本体１（縁部２１）の幅分だけ隙間を生じさせることとなり、当該隙間で柵本体１の縁部２１を挟持し得る。この挟持した部分において、固定具９（ボルト）を挿通する貫通孔を幅方向に連通して有しており、固定具９（ボルト及びナット）でこれら突出片６ａ、６ａ、６ｂ、６ｂ及び柵本体１の角部分を挟持固定することで、枠体及び柵本体１を位置決めして強固に固定することができる。
【００２３】
上下枠２ａ、２ａと左右枠２ｂ、２ｂとを組み合わせた枠体の四方の角部分において、上側の開放部１１、１１には、角部材３を嵌め込んで、枠体の歪みを解消する。図４に示すように、この角部材３は、本体３１と側方に突出する挿入部３２と、下方に突出する挿入部３３とからなる略Ｌ字状の部材であり、挿入部３２、３３を上下枠２ａ、左右枠２ｂの筒内部に挿入する。これにより、枠体へ挿入した後は、本体３１のみが直交する上下枠２ａ、左右枠２ｂとの間で露出して枠体の角を形成する。
【００２４】
角部材３の挿入部３２、３３は矩形であり、一側面に複数の凸条３４、３４を有している。これにより、角部材３は上下枠２ａ、２ａ及び左右枠２ｂ、２ｂの内部に無理嵌めするよう挿入して、強固に取り付けられる。これによって２本の筒内に直交した状態に位置決めして固定される。
【００２５】
図５に示すように、脚部材４、４は、地面に載置した土台５などに挿入して取り付けるもので下方に延長された脚本体４１と、上方に延長突出して上下枠２ａ、２ａの筒内に挿入する差込支持部４２と、脚本体４１と差込支持部４２との間に形成される鍔部４３とからなる。
【００２６】
図５、７に示すように、鍔部４３は、脚本体４１と差込支持部４２の幅よりも幅広となり、かつ、上下枠２ａ、２ａの断面よりも幅広な平面４４をもつ鍔形状となり、その鍔の平面４４で上下枠２ａの下端を受けることができる。また、左右枠２ｂの厚みよりも５倍程度の肉厚を有し、所定の肉厚を有する側面を有し、この側面により、左右枠２ｂ、２ｂの開放部側の側端を受ける側方支持部４５となり、鍔形状の鍔部４３により枠体の歪みを防止することが可能になる。
【００２７】
脚部材４は、差込支持部４２にロック部４６を有する。このロック部４６は、鍵状の部材であり、上下枠２ａに差し込んだときに、上下枠２ａ内で係合し、差込状態をロックする。これにより、脚部材４が枠体から不意に抜け落ちることを防止することができる。
【００２８】
また、突出片６ａ、６ｂは長手方向の途中に固定孔を有することが好ましい。本実施形態では枠体の所定の箇所に設けられ、例えば長手方向の中央に設けている。柵本体１は縁部２１の突出片６ａ、６ｂの固定孔と重なる位置（連通する位置）に固定孔を有し、図２に示すように、これら固定孔に固定具９を挿通・固定することで、２枚のパネルの縁部２１を重ねた箇所や縁部２１の長手方向の中央で位置決めして固定することができる。そして、縁部２１を重ねた箇所を幅方向の一方のみに突出片６ａ、６ｂが当接することで、突出片６ａ、６ｂによって幅方向に挟持する場合と異なり、一方の柵本体１の縁部２１を幅方向に撓ませて２つの縁部２１、２１を幅方向に重ねた状態で２枚のパネルを固定することができる。固定孔は長手方向の中央に限らず、他の位置であってもよく、複数個所にあってもよい。
【００２９】
柵は、枠体及び柵本体１を分解した状態で現地に持ち込むことで、運搬時のサイズをコンパクトにすることができるとともに、その現場で容易にかつ強固に組み立てることができる。
【００３０】
枠体は、図８に示すように、上下枠２ａ、２ａを短くし、左右枠２ｂ、２ｂを長くしたもの（上下左右を変更したもの）としてもよい。この実施形態であっても、その四方の開放部１１、１１のうち上側の開放部１１、１１に角部材３、３を配置し、下側の開放部１１、１１に脚本体４、４を挿入して支持することにより、全体として横長の柵として用いることもできる。
【００３１】
また、図示しないが、開放部１１、１１は枠体の四方の角に限定されず、例えば図８に示す横長の柵として使用し、２枚のパネルの中央に上下方向の枠体を取り付け、これらの枠体の交差部分を開放するものであってもよい。この場合であっても、上側の開放部１１、１１には歪み防止の挿入部材を入れ、下側の開放部１１、１１には脚部材４を挿入支持することが好ましい。なお、この実施形態では上方の挿入部材は角部材３と異なり、Ｔ字状の部材となる。
【００３２】
また、柵本体１を形成するパネルはその枚数を限定するものではない。図９及び図１０に示すように、柵本体１を３枚のパネルを並べて使用するものであってもよい。この場合、横方向に３枚並べて固定するもの、縦方向に３枚並べて固定するもののいずれであってもよく、大きな１枚のパネルや４枚以上のパネルを組み合わせて１つの柵本体１とするものであってもよい。
【符号の説明】
【００３３】
１…柵本体、２ａ…上下枠（枠体）、２ｂ…左右枠（枠体）３…角部材、４…脚部材、５…土台、６ａ,６ｂ…突出片、９…固定具、１１…開放部、２１…縁部、３２…挿入部、４２…差込支持部、４３…鍔部、４５…側方支持部。
【図１】
2019157345.tif 000003
【図２】
2019157345.tif 000004
【図３】
2019157345.tif 000005
【図４】
2019157345.tif 000006
【図５】
2019157345.tif 000007
【図６】
2019157345.tif 000008
【図７】
2019157345.tif 000009
【図８】
2019157345.tif 000010
【図９】
2019157345.tif 000011
【図１０】
2019157345.tif 000012